(57)【要約】      （修正有）【課題】遮蔽板の駆動方式を回転式ではなく、直線運動にして、より確実な密閉性を実現することを目的とした遮蔽板昇降式換気ダンパーを提供する。【解決手段】換気ダンパー本体１として円筒型の胴体を設け、円筒の直径方向に貫通した回転軸３を設け、この回転軸３の中心に、円筒内で回転可能な長さのアーム４を回転軸３に固定する。アーム４の先端にワイヤー７を設け、ワイヤー７は下部のガイドローラー６を支点として下方に下げ、その先端にスプリング９を設ける。スプリング９の一方の端には、ガスケット１１を貼り付けさらにガイドロッド１２を取り付けた遮蔽板８を設ける。遮蔽板８と胴体との間にはガイドパイプ１０を取り付けたアダプター２を設ける。回転軸３が９０度回転することにより遮蔽板８が直線的に作動し、アダプター２下面に面接触で安定的に押しつけられ、確実な密閉を保つことを特徴とする遮蔽板昇降式換気ダンパー。【選択図】図１
2014173833.tif 000002
【特許請求の範囲】
【請求項１】
換気ダンパー本体として円筒型の胴体を設け、円筒の直径方向に貫通した回転軸を設け、この回転軸の中心に、円筒内で回転可能な長さのアームを回転軸に固定し、この回転軸の下部に回転軸に並行にもう一本軸を設け、この軸の中心にガイドローラーを設け、アームの先端にワイヤーを設け、ワイヤーは下部の軸のガイドローラーを支点に下方に下げ、その先端にスプリングを設け、このスプリングの他の端には、ガスケットを貼り付け、さらにガイドロッドを取り付けた遮蔽板を設け、遮蔽板と胴体との間にはガイドパイプを取り付けたアダプターを設け、回転軸が９０度回転することにより遮蔽板が直線的に作動し、アダプターの下面に面接触で安定的に押し付けられ、確実な密閉を保つことを特徴とする、遮蔽板昇降式換気ダンパー。
【発明の詳細な説明】
【技術分野】
【０００１】本発明は、果実の熟成設備のように、一定期間ある種のガスを封入し、ガスの濃度を一定濃度で保持する必要がある設備に適用する、完全密閉を目的とした遮蔽板昇降式換気ダンパーに関するものである。
【背景技術】
【０００２】従来の換気ダンパーは円筒（直径が１００〜２００ｍｍ）型の筒の直径方向に回転軸を通し、円筒の内径よりわずかに小さい円形の板をこれに固定し、軸を駆動装置により９０度回転して、円板を筒に直角方向（遮蔽位置）あるいは円筒の長手方向（通気）に動かすことで、気体を遮断あるいは通気すると言うものであった。
円板が筒の直径方向に位置する円筒側には円板のストッパーとして、内側に凸状の出っ張りが一周施されている。
【先行技術文献】
【特許文献】
【０００３】
【特許文献１】  特に無し。
【発明の概要】
【発明が解決しようとする課題】
【０００４】（イ）従来の回転式遮蔽板においては、回転軸に近い部分と遠い部分とでは遮蔽板が円筒側の凸部分に接触するタイミングが異なるため、場合によっては遮蔽板と円筒間に隙間ができることがある。
（ロ）回転軸と円筒との境目付近では気体を確実に遮断することが困難である。
（ハ）バナナ等の果実熟成加工設備のように、一定時間、ある種のガスを一定濃度で保持する必要があるような設備においては、わずかな隙間が有った場合、ガスが漏洩して製品を加工する上で品質が安定しないことがある、と言う問題がある。
本発明は、遮蔽板を昇降、密着方式にして確実な密閉性を実現しようとするものである。又、既存の換気ダンパーと入れ替え可能なように、構造的には互換性が有るように考慮した。
【発明が解決しようとするための手段】
【０００５】換気ダンパー本体として円筒型の胴体を設ける。
円筒の直径方向に貫通した回転軸を設ける。
この回転軸には駆動装置が取り付けられ、これにより、９０度正転・逆転する。
この回転軸の中心に、円筒内で回転可能な長さのアームを回転軸に固定する。
このアームの先端に、遮蔽板を昇降する為のワイヤーを取り付ける。
この回転軸の下部に回転軸に並行にもう１本軸を設ける。
この軸の中心でワイヤーの支点となる位置にはガイドローラーを設ける。
ワイヤーはガイドローラーを支点として直線運動に変換される。
このワイヤーの先端にスプリングを設け、スプリングの一方の端には遮蔽板を固定する。この遮蔽板は回転軸が回転すると、連結されたアームとワイヤーにより上下に作動する。この遮蔽板には、密閉性を確保する為にガスケット（スポンジ又はゴム板）を貼り付ける。遮蔽板にはガイドパイプに挿入される、ガイドロッドを設ける。円筒型の胴体と遮蔽板の間には、遮蔽板が傾斜しないようにガイドパイプを取り付けたアダプターを設ける。
このアダプターは通常天井の下面に密着して取り付けられ、天井を挟んで前記の胴体と縫い合わされる。
【発明の効果】
【０００６】ガスケット付きの遮蔽板が直線運動で作動し、天井下面に密着して取り付けられたアダプターに面接触し、ワイヤーに直結したスプリングにより遮蔽板が常時アダプターに押し付けられる状態になるので、気体を確実に遮断することができる。
回転軸を回転させる駆動装置は従来の回転式換気ダンパーのものを適用することができる。外形的には既存のダンパーと同じに製作可能なので、既存の回転式換気ダンパーからの更新も容易にできる。
【図面の簡単な説明】
【０００７】
【図１】本発明の分解斜視図である。
【図２】本発明の軸方向から見た断面図である。
【図３】一般的な果実熟成庫での換気ダンパーの使われ方を断面図で示す。
【発明を実施するための形態】
【０００８】果実熟成庫の換気用として一般的な、天井へ設置した場合を想定して説明する。
（イ）円筒型のダンパー本体（１）を設ける。これは通常、熟成庫の天井の上面に設置される。
（ロ）円筒の直径方向に貫通した回転軸（３）を設ける。この軸の円筒の外側に軸を正転・逆転させるための駆動装置が取り付けられる。
（ハ）この回転軸の円筒の中央に、軸に直角に固定されたアーム（４）を設ける。
このアーム（４）は軸が回転しても円筒には接触しない。
（ニ）このアーム（４）の回転運動を直線運動に変換する為の支点となる軸（５）とガイドローラー（６）を回転軸（３）の下部に設ける。
（ホ）アーム（４）の回転運動を直線運動に変換する為のワイヤー（７）を設ける。
（ヘ）ワイヤー（７）はアーム（４）の先端に固定し、ガイドローラー（６）を介して、下部のスプリング（９）に固定される。
（ト）スプリング（９）の下部に遮蔽板（８）を設ける。
（チ）遮蔽板（８）の上面にはガスケット（１１）を貼り付ける。
（リ）遮蔽板には板が斜めにならないように、ガイドロッド（１２）を設ける。
（ヌ）アダプター（２）を設ける。
（ル）アダプター（２）には遮蔽板（８）のガイドロッド（１２）が挿入される、ガイドパイプ（１０）を設ける。このアダプター（２）は天井の下面に密着して取り付けられ、天井を挟んで上部に設置された胴体（１）と縫合される。
本発明は、以上の構成よりなっている。
回転軸に固定されたアーム（４）が水平から垂直に、或いは垂直から水平に９０度回転することにより遮蔽板が昇降し、適切なワイヤーの長さとスプリングの強度とガスケットによって、確実な密閉性を保つことが可能となる。
【符号の説明】
【０００９】  １        ダンパー本体
２        アダプター
３        回転軸
４        アーム
５        軸
６        ガイドローラー
７        ワイヤー
８        遮蔽板
９        スプリング
１０        ガイドパイプ
１１        ガスケット
１２        ガイドロッド
１３        駆動軸の回転方向を示す。（９０度正転逆転する）
１４        駆動軸の回転に伴い、遮蔽板が作動する方向を示す。
【図１】
2014173833.tif 000003
【図２】
2014173833.tif 000004
【図３】
2014173833.tif 000005